(57)【特許請求の範囲】
【請求項１】
作業用天板の端部に手摺り枠等の機材を取り付けるための機材取付金具であって、前記機材に取り付けられ又は機材の一部に形成される金具本体部と、この金具本体部に設けられ、前記天板の端部上面に係止される係止部と、この係止部に垂下突設され、前記天板の端部に設けられたピン孔に上方より挿入されるロックピンと、前記天板の端部側枠の下端フランジ部下面を支持する支持部を一端部に形成し、中間所要部を金具本体部に枢着した締付用レバーと、このレバーの他端部にボルト頭部が枢着された締付用ボルトと、前記天板端部の上面側に係止部が係止してピン孔にロックピンが挿入され且つ支持部で前記天板の端部側枠の下端フランジ部を支持した状態のクランプ位置で締付用ボルトを垂下姿勢に保持するように金具本体部に設けられたボルト垂下姿勢保持部とからなり、ボルト垂下姿勢保持部で保持した締付用ボルトに締付ナットを螺嵌して締め付けることにより、締付用レバーを介して前記支持部を前記下端フランジ部下面に圧接するようにし、
一方、前記天板が係止部及びロックピンから離脱するように支持部が退避した退避位置で締付用ボルトを上垂姿勢に保持するボルト上垂姿勢保持部を金具本体部に設け、この上垂姿勢保持部で保持した締付用ボルトに締付用ナットを螺嵌して締め付けることにより、締付用レバーを退避位置に固定するようにした機材取付金具。
【請求項２】
作業用天板の端部に手摺り枠等の機材を取り付けるための機材取付金具であって、前記機材に取り付けられ又は機材の一部に形成される金具本体部と、この金具本体部に設けられ、前記天板の端部上面に係止される係止部と、この係止部に垂下突設され、前記天板の端部に設けられたピン孔に上方より挿入されるロックピンと、前記天板の端部下面を支持する支持部を一端部に形成し、中間所要部を金具本体部に枢着した締付用レバーと、このレバーの他端部にボルト頭部が枢着された締付用ボルトと、前記天板の端部上面に係止部が係止してピン孔にロックピンが挿入され且つ前記支持部で前記天板の端部下面を支持した状態のクランプ位置で締付用ボルトを垂下姿勢に保持するように金具本体部に設けられたボルト垂下姿勢保持部とからなり、ボルト垂下姿勢保持部で保持した締付用ボルトに締付ナットを螺嵌して締め付けることにより、締付用レバーを介して前記支持部を前記天板の端部下面に圧接するようにし、
一方、前記天板が係止部及びロックピンから離脱するように支持部が退避した退避位置で締付用ボルトを上垂姿勢に保持するボルト上垂姿勢保持部を金具本体部に設け、この上垂姿勢保持部で保持した締付用ボルトに締付用ナットを螺嵌して締め付けることにより、締付用レバーを退避位置に固定するようにした機材取付金具。
【請求項３】
前記締付用ナットは蝶ナットからなる請求項１又は２に記載の機材取付金具。
【発明の詳細な説明】
【技術分野】
【０００１】
本発明は、作業台の天板や張出足場の張出天板、あるいは２台の作業台の桁側端部間に掛け渡される延長天板等の作業用天板の端部に、手摺り枠や幅木等の機材を取り付けるための機材取付金具に関する。
【背景技術】
【０００２】
従来の手摺り枠等機材取付金具として、特許公報等の具体的な公知文献を挙げることはできないが、従来、作業台の天板端部に手摺り枠を取り付けるのに使用される手摺り枠取付金具は、手摺り枠の取付け及び取り外し操作が面倒で非常に手間がかかっていた。
【発明の概要】
【発明が解決しようとする課題】
【０００３】
本発明は、上記の事情に鑑み、作業用天板の端部に対する手摺り枠等機材の取付け及び取り外し操作が簡単に行える機材取付金具を提供することを目的とする。
【課題を解決するための手段】
【０００４】
上記課題を解決するための手段を、後述する実施形態の参照符号を付して説明すると、請求項１に係る発明は、作業用天板２の端部に手摺り枠１０等の機材を取り付けるための機材取付金具５であって、図１〜図５に示すように、前記機材に取り付けられ又は機材の一部に形成される金具本体部６と、この金具本体部６に設けられ、前記天板２の端部上面に係止される係止部７と、この係止部７に垂下突設され、前記天板２の端部に設けられたピン孔８に上方より挿入されるロックピン９と、前記天板２の端部側枠２ａの下端フランジ部２ｂ下面を支持する支持部１２を一端部に形成し、中間所要部を金具本体部６に枢着した締付用レバー１４と、このレバー１４の他端部にボルト頭部１５ｏが枢着された締付用ボルト１５と、前記天板２端部上面に係止部７が係止してピン孔８にロックピン９が挿入され且つ支持部１２で前記天板２の端部側枠２ａの下端フランジ部２ｂを支持した状態のクランプ位置で締付用ボルト１５を垂下姿勢に保持するように金具本体部６に設けられたボルト垂下姿勢保持部１６とからなり、ボルト垂下姿勢保持部１６で保持した締付用ボルト１５に締付用ナット１９を螺嵌して締め付けることにより、締付用レバー１４を介して支持部１２を前記下端フランジ部２ｂ下面に圧接するようにし、
一方、前記天板２が係止部７及びロックピン９から離脱するように支持部１２が退避した退避位置で締付用ボルト１５を上垂姿勢に保持するボルト上垂姿勢保持部１７を金具本体部６に設け、この上垂姿勢保持部で保持した締付用ボルト１５に締付用ナット１９を螺嵌して締め付けることにより、締付用レバー１４を退避位置に固定するようにしたことを特徴とする。
【０００５】
請求項２に係る発明は、作業用天板２の端部に手摺り枠１０等の機材を取り付けるための機材取付金具５であって、前記機材に取り付けられ又は機材の一部に形成される金具本体部６と、この金具本体部６に設けられ、前記天板２の端部上面に係止される係止部７と、この係止部７に垂下突設され、前記天板２の端部に設けられたピン孔８に上方より挿入されるロックピン９と、図６，図７に示すように、前記天板２の端部下面を支持する支持部２２，３２を一端部に形成し、中間所要部を金具本体部６に枢着した締付用レバー１４と、このレバー１４の他端部にボルト頭部１５ｏが枢着された締付用ボルト１５と、前記天板２の端部上面に係止部７が係止してピン孔８にロックピン９が挿入され且つ前記支持部２２，３２で前記天板２の端部下面を支持した状態のクランプ位置で締付用ボルト１５を垂下姿勢に保持するように金具本体部６に設けられたボルト垂下姿勢保持部１６とからなり、ボルト垂下姿勢保持部１６で保持した締付用ボルト１５に締付ナット１９を螺嵌して締め付けることにより、締付用レバー１４を介して前記支持部２２，２３を前記天板２の端部下面に圧接するようにし、
一方、前記天板２が係止部７及びロックピン９から離脱するように支持部２２，３２が退避した退避位置で締付用ボルト１５を上垂姿勢に保持するボルト上垂姿勢保持部１７を金具本体部６に設け、この上垂姿勢保持部で保持した締付用ボルト１５に締付用ナット１９を螺嵌して締め付けることにより、締付用レバー１４を退避位置に固定するようにしたことを特徴とする。
【０００６】
請求項３に係る発明は、請求項１又は２に記載の機材取付金具において、前記締付用ナット１９は蝶ナットからなることを特徴とする。
【発明の効果】
【０００９】
上記解決手段による発明の効果を、後述する実施形態の参照符号を付して説明すると、請求項１に係る発明によれば、係止部７に垂下突設したロックピン９を天板２端部のピン孔８に挿入すると共に、係止部７を天板２の端部上面に係止した状態から、締付用レバー１４の締付用ボルト取付側端部を引き下げると、このレバー１４が枢軸１３を中心に回動して、支持部１２が天板２の端部側枠２ａの下端フランジ部２ｂ下面を支持し、この状態で締付用ボルト１５をボルト垂下姿勢保持部１６に係合させて、締付用ナット１９を締め付けることにより、締付用レバー１４の締付用ボルト取付側端部が下向きに引っ張られて、支持部１２が前記下端フランジ部２ｂの下面に圧接し、それにより支持部１２と係止部７で天板２端部の上下両面側がクランプされるから、金具本体部６を天板２に的確に固定できて、機材を天板２端部に簡単容易にして強固に取り付けることができる。
又、本発明によれば、支持部１２が退避した退避位置で締付用ボルト１５を上垂姿勢に保持した状態から、ボルト１５に締付用ナット１９を螺合して締め付けることにより、締付用レバー１４が金具本体部６側に固定されることになって、搬送時や積み重ね時等に締付用レバー１４がブラブラすることがなく、搬送、保管等に便利となる。
【００１０】
請求項２に係る発明によれば、係止部７に垂下突設したロックピン９を天板２端部のピン孔８に挿入すると共に、係止部７を天板２の端部上面に係止した状態から、締付用レバー１４の締付用ボルト取付側端部を引き下げると、このレバー１４が枢軸１３を中心に回動して、支持部２２，３２を天板２の端部下面に押し当て、この状態で締付用ボルト１５をボルト垂下姿勢保持部１６に係合させて、締付用ナット１９を締め付けることにより、締付用レバー１４の締付用ボルト取付側端部が下向きに引っ張られて、支持部２２，３２が天板２の端部下面に圧接し、それにより支持部２２，３２と係止部７とで天板２端部の上下両面側がクランプされるから、金具本体部６を天板２に的確に固定できて、機材を天板２端部に簡単容易にして強固に取り付けることができる。
又、本発明によれば、支持部２２，３２が退避した退避位置で締付用ボルト１５を上垂姿勢に保持した状態から、ボルト１５に締付用ナット１９を螺合して締め付けることにより、締付用レバー１４が金具本体部６側に固定されることになって、搬送時や積み重ね時等に締付用レバー１４がブラブラすることがなく、搬送、保管等に便利となる。
【００１１】
請求項３に係る発明によれば、締付用ナット１９は蝶ナットからなるため、スパナ等の回転操作工具を使用することなく、締め付け作業を手で簡単容易に行うことができる。
【図面の簡単な説明】
【００１４】
【図１】(a) は本発明に係る機材取付金具の使用状態を示す正面図、(b) は側面図である。
【図２】(a) は使用状態での機材取付金具の拡大正面図、(b) は側面図、(c) は背面図である。
【図３】天板端部への機材取付金具の装着方法を示すもので、(a) は締付用レバーの支持部を天板の端部に近づけている状態の正面図、(b) はロックピンを天板端部のピン孔に挿入しようとする状態の正面図である。
【図４】図３に引き続き機材取付金具の装着方法を示すもので、(a) はロックピンを天板端部のピン孔に挿入した後、締付用レバーを反転させて支持部を天板の端部下面側に近づけている状態の正面図、(b) は締付用レバーの支持部を天板の端部下面側に当接させて、締付用ナットを締め付けている状態の正面図である。
【図５】(a) は本発明に係る他の機材取付金具の使用状態を示す正面図、(b) は側面図である。
【図６】本発明に係る他の機材取付金具を示すもので、(a) は締付用レバーを示す斜視図、(b) 及び(c) はこのレバーを取り付けた機材取付金具の使用状態を示す図３の(a) ，(b) と同様な正面図である。
【図７】本発明に係る更に他の機材取付金具を示すもので、(a) は締付用レバーを示す斜視図、(b) 及び(c) はこのレバーを取り付けた機材取付金具の使用状態を示す正面図である。
【発明を実施するための形態】
【００１５】
本発明の好適な実施形態を添付の図面を参照して説明すれば、図１の(a) は手摺り枠１０を作業台１の天板２に取り付ける機材取付金具３の使用状態を示す概略正面図であり、(b) はその側面図であり、図２の(a) は同機材取付金具３の拡大正面図、(b) は側面図、(c) は背面図である。作業台１は、図１の(a) の仮想線図示のように簡単に図示するが、天板２の両端部に梯子状の脚体３を設けてなるもので、天板２と脚体３との間にはステー４が介装されている。手摺り枠１０は、作業台１の天板２の桁側端部に沿って取り付けられるもので、上横枠１０ａ、左右縦枠１０ｂ，１０ｂ、左右縦枠１０ｂ，１０ｂ間の中間にある手摺り支柱１０ｃ，１０ｃと、縦枠１０ｂ，１０ｂ及び手摺り支柱１０ｃ，１０ｃの下端部どうしをつなぐ板状の下横枠１０ｄと、中横桟１０ｅ，１０ｆとによって枠組み形成されている。
【００１６】
手摺り枠１０を作業台１の天板２の桁側端部に取り付ける機材取付金具５は、図２から分かるように、手摺り枠１０の支柱１０ｃの下端部に形成される金具本体部６と、この金具本体部６に設けられ、天板２端部の上面側に係止される係止部７を有する係止金具１１と、この係止部７に垂下突設されていて、天板２端部に設けられたピン孔８（図２の(b) 参照）に上方より挿入されるロックピン９と、前記係止部７の下方位置で天板２の端部下面を支持する支持部１２を一端部に形成して、中間所要部を金具本体部６に枢軸１３で枢着した締付用レバー１４と、この締付用レバー１４の他端部にボルト頭部１５ｏが枢軸３０で枢着されている締付用ボルト１５と、天板２の端部上面に係止部７が係止してロックピン９がピン孔８に挿入され且つ支持部１２で天板２の端部下面を受けた状態のクランプ位置で締付用ボルト１５を垂下姿勢に保持するように金具本体部６に設けられたボルト垂下姿勢保持部１６と、図３の(a) に示すように天板２が係止部７及びロックピン９から離脱するように支持部１２が退避した退避位置で締付用ボルト１５を上垂姿勢に保持するボルト上垂姿勢保持部１７とから構成される。締付用ボルト１５は、ボルト頭部１５ｏがリンク状に形成されたアイボルト又はデンデンボルトと称されるボルトからなる。尚、枢軸１３，３０は夫々ボルト・ナットからなる。
【００１７】
上記機材取付金具５の構造について更に詳しく説明すると、この実施形態では、金具本体部６は、手摺り枠１０の一部を構成する角管からなる支柱１０ｃの下端部がそのまま金具本体部を形成している。この金具本体部６の所定高さ位置に係止金具１１が取り付けられ、この係止金具１１に、天板２端部の上面側に係止される係止部７が形成されている。即ち、この係止金具１１は、図２の(b) に示すように角管状金具本体部６（支柱１０ｃの下端部）の前面に沿うように配置されて天板２の側壁部２ａに当接する取付基板部１１ａの上端部から前方へ係止部７を突設すると共に、取付基板部１１ａの背面側に角管状金具本体部６の左右側面部に当接する両側一対の取付板部１１ｂ，１１ｂを突設してなるもので、両取付板部１１ｂ，１１ｂで角管状金具本体部６の左右側面部を挟み付けて、ボルト・ナット３１で締結することにより、金具本体部６に固定されるようになっている。前記係止部７は、図２の(b) に示すように、天板２の桁側端部端部に突設された凸条部２ｏに嵌合するように略々下向きコ字状に形成されている。
【００１８】
ロックピン９は、図３の(a) ，(b) に示すように係止金具１１の係止部７を下向き垂直方向に貫通して、頭部９ｏを係止部７に溶接して固着したものである。このロックピン９が挿入するピン孔８は、図２の(b) 及び図３の(b) ，(b) から分かるように、天板２端部の上面側と下面側とに夫々設けられている。
【００１９】
締付用レバー１４は、図２の(c) に示すように、両側一対のレバー部材１４ａ，１４ａからなるもので、両レバー部材１４ａ，１４ａの中間部が金具本体部６を挟むようにしてボルト・ナットからなる枢軸１３により金具本体部６に枢着され、両レバー部材１４ａ，１４ａの一端部どうしをつなぐように支持部１２が一体に形成されている。この支持部１２は、図２の(a) ，(b) から分かるように、天板２の端部側枠２ａ下端から内向きに突出するフランジ部２ｂを下方より支持するもので、この下端フランジ部２ｂの先端部に突入する上向き突片部１２ａを有する。このように支持部１２が上向き突片部１２ａを有し、前記係止部７が略々下向きコ字状に形成されているため、係止部７と支持部１２とにより天板２の端部を的確に把持することができる。
【００２０】
前記ボルト垂下姿勢保持部１６は、係止部７とロックピン９と支持部１２とによって天板２の端部をクランプするクランプ位置で締付用ボルト１５を図２の(c) 及び図４の(b) に示すように締付用レバー１４の端部から垂下した位置に係合保持するもので、金具本体部６の後側面部に固着されたコ字形金具１８の下枠片１８ａに形成した切欠溝からなり、また前記ボルト上垂姿勢保持部１７は、図３の(a) に示すように、天板２が係止部７及びロックピン９から離脱できるように支持部１２が金具本体部６の幅内に納まって退避した退避位置で締付用ボルト１５を上垂姿勢に保持するもので、前記コ字形金具１８の上枠片１８ｂに形成した切欠溝からなる。
【００２１】
しかして、図２の(b) 及び図４の(b) に示すように係止部７とロックピン９と支持部１２とで天板２の端部をクランプするクランプ位置で締付用レバー１４の端部から垂下した締付用ボルト１５のネジ部１５ａを、図２の(c) に示すようにコ字形金具下枠片１８ａの切欠溝１６に係合して垂下姿勢に保持した状態から、ボルト１５のネジ部１５ａに蝶ナットからなる締付用ナット１９を螺合して締め付けると、締付用レバー１４は、その下端部が下向きに引っ張られることにより、上端部が押し上げられる状態となって、支持部１２が天板２の端部下面に圧接され、それにより支持部１２と、天板２の端部上面に係止されている係止部７とで天板２の端部が有効にクランプされる。
【００２２】
また、機材取付金具５を取り外した状態では、図３の(b) に示すように、締付用レバー１４の一端部側の支持部１２が金具本体部６の幅内に納まって退避した退避位置で、その他端部側の締付用ボルト１５のネジ部１５ａを、コ字形金具１８の上枠片１８ｂに形成された切欠溝１７からなるボルト上垂姿勢保持部に係合して上垂姿勢に保持した状態から、ボルト１５のネジ部１５ａに締付用ナット１９を螺合して締め付けることにより、締付用レバー１４が金具本体部６側に固定されるため、搬送時や積み重ね等に締付用レバー１４がブラブラすることがなく、搬送、保管等に便利となる。
【００２３】
また、締付用ナット１９は蝶ナットからなるため、スパナ、レンチ等の回転操作工具を使用することなく、締め付け作業を手で簡単容易に行うことができる。
【００２４】
上記のような構成よりなる機材取付金具５を使用して手摺り枠１０を作業台１の天板２に取り付けるには、先ず、図３の(a) に示すように、締付用ボルト１５をボルト上垂姿勢保持部１７に保持して締付用レバー１４を退避位置に固定した状態で、この締付用レバー１４の支持部１２側を同図の(b) に示すように天板２に沿わせ、ロックピン９を天板２のピン孔８に挿入するように金具本体部６を下降することによって、ロックピン９を天板２端部の上面側ピン孔８及び下面側ピン孔８に挿入すると共に係止部７を天板２端部の上面側に係止して図４の(a) に示すような状態とする。
【００２５】
図４の(a) に示す状態から、締付用ナット１９を緩めて、締付用ボルト１５をボルト上垂姿勢保持部１７から離脱させ、締付用レバー１４の締付用ボルト取付側端部を引き下げて、締付用レバー１４を枢軸１３を中心に同図に関して時計回りに回動し、同図の(b) に示すように、支持部１２を天板２の端部側枠２ａの下端フランジ部２ｂに当て付け、この状態で締付用ボルト１５をボルト垂下姿勢保持部１６に係合して、垂下姿勢に保持した状態から、締付用ナット１９を締め付けると、締付用レバー１４は、その下端部が下向きに引っ張られることにより、上端部が押し上げられる状態となって、支持部１２を天板２の端部側枠２ａの下端フランジ部２ｂ下面に圧接し、それにより支持部１２と係止部７とで天板２端部の上下両面側をクランプする。
【００２６】
図１の(a) に示すように機材取付金具５は手摺り枠１０の手摺り支柱１０ｃ，１０ｃの下端部（金具本体部６）に２つ取り付けてあるから、両機材取付金具５を天板２の端部に上記のようにクランプすることにより、天板２への手摺り枠１０の取付けを終了する。
【００２７】
上記のように、手摺り枠１０を天板２に取り付けるには、締付用レバー１４の支持部１２側を天板２の端部に沿わせ、ロックピン９を天板２端部のピン孔８に挿入して係止部７を天板２の端部上面に係止させた状態で、締付用レバー１４の締付用ボルト取付端部側を引き下げ、締付用レバー１４を回動して支持部１２を天板２の端部側枠２ａの下端フランジ部２ｂ下面に当て付けた状態から、締付用ボルト１５をボルト垂下姿勢保持部１６に係合して締付用ナット１９を締め付ければよく、またこうして取り付けた手摺り枠１０を天板２から取り外す時には、締付用ナット１９を緩めて締付用ボルト１５をボルト垂下姿勢保持部１６から抜き取り、締付用レバー１４を取付時とは反対の方向に回転して、ロックピン９をピン孔８から離脱させればよいから、従って手摺り枠１０の取付け及び取り外しを簡単容易に行うことができる。
【００２８】
図５は、幅木２０を機材取付金具５によって作業台１の天板２の桁側端部に取り付けた状態を示す概略正面図であり、(b) はその側面図である。この機材取付金具５は、幅木２０に取り付けられる金具本体部６と、この金具本体部６に設けられて、天板２端部の上面側に係止される係止部７を有する係止金具１１と、前記係止部７に垂下突設されて、天板２端部に設けられたピン孔８に上方より挿入されるロックピン９（図２〜図４参照）と、前記係止部７の下方位置で天板２端部の下面側を支持する支持部１２を一端部に形成して、中間所要部を金具本体部６に枢軸１３で枢着した締付用レバー１４と、この締付用レバー１４の他端部にボルト頭部が枢軸３０で枢着されている締付用ボルト１５と、天板２端部の上面側に係止部７が係止してピン孔８にロックピン９が挿入され且つ支持部１２で天板２の端部下面を支持した状態のクランプ位置で締付用ボルト１５を垂下姿勢に保持するように金具本体部６に設けられたボルト垂下姿勢保持部１６と、天板２が係止部７及びロックピン９から離脱するように支持部１２が退避した退避位置（図３の(a) 参照）で締付用ボルト１５を上垂姿勢に保持するボルト上垂姿勢保持部１７とから構成される。
【００２９】
この図５に示す機材取付金具５の金具本体部６は、角筒状又は各柱状の部材からなるもので、幅木２０の幅木本体２１の外側面両端部に、ボルト・ナット、リベット等の固定手段によって取り付け固定されるようになっている。この金具本体部６以外の構成部材については、図１〜図４によって説明した手摺り枠取付用の機材取付金具５と全く同じ構造であり、またこの機材取付金具５による幅木２０の取付方法についても手摺り枠取付用のものと同じであるため、それらの説明を省略する。
【００３０】
以上、図１〜図５によって説明した本発明の実施形態による機材取付金具５は、金具本体部６と、金具本体部６に設けられた係止部７と、この係止部７に垂下突設され、天板２のピン孔８に上方より挿入されるロックピン９と、天板２の端部側枠２ａの下端フランジ部２ｂ下面を支持する支持部１２を一端部に形成し、中間所要部を金具本体部６に枢着した締付用レバー１４と、このレバー１４の他端部にボルト頭部１５ｏが枢着された締付用ボルト１５及び締付用ナット１９と、天板２端部の上面側に係止部７が係止してピン孔８にロックピン９が挿入され且つ支持部１２で前記下端フランジ部２ｂ下面を支持した状態のクランプ位置で締付用ボルト１５を垂下姿勢に保持するように金具本体部６に設けられたボルト垂下姿勢保持部１６と、支持部１２が退避した退避位置で締付用ボルト１５を上垂姿勢に保持するボルト上垂姿勢保持部１７とからなるものであるが、本発明の機材取付金具５としては、締付用レバー１４、締付用ボルト１５、締付用ナット１９、ボルト垂下姿勢保持部１６及びボルト上垂姿勢保持部１７を省略し、金具本体部６と、金具本体部６に設けられた係止部７と、この係止部７より天板２のピン孔８に挿入されるロックピン９とによってのみ構成されるものでもよく、従ってその場合には、ロックピン９を天板２端部のピン孔８に挿入して係止部７を天板２端部の上面側に係止させるだけで、機材を天板２に簡単に取り付けることができる。
【００３１】
また、図１〜図５で説明した実施形態の機材取付金具５では、ロックピン９の長さを天板２の厚みよりも長くし、天板２端部の上面側凸条部２ｏと下面側フランジ部２ｂとに夫々ピン孔８，８を設けて、このロックピン９を天板２端部の上面側と下面側の両ピン孔８，８に挿入するようにしているが、ロックピン２３の長さを天板２の厚みより短くして、天板２端部の上面側のピン孔８にのみ挿入するようにしてもよい。但し、図示の実施形態のようにロックピン９を長くして、天板２端部の上面側と下面側とを貫通するようにすれば、金具本体部６を天板１の端部に安定良く的確に取り付けることができる。
【００３２】
図６及び図７は、本発明に係る他の機材取付金具５を示すもので、図１〜図５によって説明した機材取付金具５の支持部１２とは若干異なった支持部２２，３２を有する締付用レバー１４を示す。
【００３３】
先ず、図６に示す機材取付金具５の締付用レバー１４は、(a) に示すように、両側一対のレバー部材１４ａ，１４ａからなるもので、両レバー部材１４ａ，１４ａの一端部側が連結壁部２４でつながれ、この連結壁部２４から天板２の端部下面を支持する支持部２２がアーム部２５を介して延設されている。このレバー１４を係止金具１１及びコ字形金具１８と共に金具本体部６に取り付けて形成した機材取付金具５の使用状態を同図の(b) 及び(c) に示す。即ち、この機材取付金具５の支持部２２は、天板２の端部下面を支持するもので、手摺り枠１０を天板２に取り付ける時には、ロックピン９を天板２端部のピン孔８に挿入し、係止部７を天板２の端部上面に係止させた状態で、締付用ナット１９を緩めて締付用ボルト１５をボルト上垂姿勢保持部１７から離脱させ、そして締付用レバー１４を回動して、(c) に示すように支持部２２を天板２の端部下面に当て付け、この状態から締付用ボルト１５をボルト垂下姿勢保持部１６に係合して締付用ナット１９を締め付ければよい。また手摺り枠１０を天板２から取り外す時は、締付用ナット１９を緩めて締付用ボルト１５をボルト垂下姿勢保持部１６から抜き取り、締付用レバー１４を取付時とは反対の方向に回動し、ロックピン９をピン孔８から離脱させればよい。
【００３４】
図７に示す機材取付金具５の締付用レバー１４は、(a) に示すように、両側一対のレバー部材１４ａ，１４ａからなるもので、両レバー部材１４ａ，１４ａの一端部にアーム部２６，２６が夫々直角に突設され、両アーム部２６，２６の先端部どうしをつなぐように支持部３２が一体に形成されている。この締付用レバー１４を係止金具１１及びコ字形金具１８と共に金具本体部６に取り付けて形成した機材取付金具５の使用状態を同図の(b) ，(c) に示す。この機材取付金具５の支持部３２も天板２の端部下面を支持するもので、手摺り枠１０を天板２に取り付ける時には、ロックピン９を天板２端部のピン孔８に挿入し、係止部７を天板２の端部上面に係止させた状態で、締付用ナット１９を緩めて締付用ボルト１５をボルト上垂姿勢保持部１７から離脱させ、そして締付用レバー１４を回動して(c) に示すように支持部３２を天板２の端部下面に当て付け、この状態で締付用ボルト１５をボルト垂下姿勢保持部１６に係合して締付用ナット１９を締め付ければよい。
【００３５】
上記した図６及び図７に示すような機材取付金具５によれば、係止部７に垂下突設したロックピン９を天板２端部のピン孔８に挿入すると共に係止部７を天板２の端部上面に係止した状態から、締付用レバー１４の締付用ボルト取付側端部を引き下げることにより、このレバー１４が枢軸１３を中心に回動して、支持部２２，３２が天板２の端部下面に当接し、この状態で締付用ボルト１５をボルト垂下姿勢保持部１６に係合させて、締付用ナット１９を締め付けることにより、締付用レバー１４の締付用ボルト取付側端部が下向きに引っ張られて、支持部２２，３２が天板２の端部下面に圧接し、それにより支持部２２，３２と係止部７とで天板２の端部が上下両面側からクランプされるため、金具本体部６を天板２に的確に固定できて、機材を天板２端部に簡単容易にして強固に取り付けることができる。
【符号の説明】
【００３６】
１            作業台
２            天板
５            機材取付金具
６            金具本体部
７            係止部
８            ピン孔
９            ロックピン
１０          手摺り枠（機材）
１２          支持部
１４          締付用レバー
１５          締付用ボルト
１６          ボルト垂下姿勢保持部
１９          締付用ナット
２２          支持部
３２          支持部
【図１】
0005491279.tif 000002
【図２】
0005491279.tif 000003
【図３】
0005491279.tif 000004
【図４】
0005491279.tif 000005
【図５】
0005491279.tif 000006
【図６】
0005491279.tif 000007
【図７】
0005491279.tif 000008